(57)【要約】【課題】ＨＤＭＩのクリアな映像を楽しみつつ、コンポジット信号の垂直帰線区間情報を利用することの可能なテレビ受像機、映像表示装置を提供する【解決手段】ＨＤＭＩ端子１０ａとコンポジット端子１０ｂとを備え、デジタルデコーダ１０ｃがＨＤＭＩ端子１０ａから入力される映像信号をスケーラ１０ｅを介して後段に出力し、マイコン１０ｉの制御に従ってアナログデコーダ１０ｄがコンポジット信号からクローズドキャプションを抽出してマイコン１０ｉに出力し、マイコン１０ｉの制御に従ってＯＳＤ重畳部１０ｆがクローズドキャプションを映像信号にＯＳＤ表示させる。【選択図】図１
2008005405.tif 000002
【特許請求の範囲】
【請求項１】
ＨＤＭＩ規格の映像信号が入力されるＨＤＭＩ端子と、コンポジット映像信号が入力されるコンポジット端子と、を備えて、入力された映像信号に基づいて映像を画面に表示するテレビ受像機において、
ＨＤＭＩ端子より入力された映像信号を後段に出力するデジタルデコーダと、コンポジット端子より入力された映像信号からＲ（赤）Ｇ（緑）Ｂ（青）の３原色信号を復調し、かつ、デジタル信号に変換して後段に出力するとともに垂直帰線区間のクローズドキャプションを抽出して出力可能なアナログデコーダと、上記デジタルデコーダと上記アナログデコーダのいずれか一方より映像信号を入力されて、同映像信号が画面の画素数に合致するようにスケーリング処理を施して出力するスケーラと、上記スケーラより出力される映像信号に所定の文字情報をオン・スクリーン・ディスプレイ表示にて重畳させるＯＳＤ重畳部と、上記ＯＳＤ重畳部より出力される映像信号に基づいてディスプレイを駆動制御するドライバと、上記アナログデコーダより出力されるクローズドキャプションを受け取り、同クローズドキャプションに対応する映像信号の処理とタイミングを合わせて上記ＯＳＤ重畳部にクローズドキャプションをオン・スクリーンディスプレイ表示にて表示させるマイコンと、上記ＨＤＭＩ端子と上記コンポジット端子のいずれの映像信号を表示させるかの入力設定情報と、上記クローズドキャプションを表示させるか否かのＣＣ表示設定情報とを保持する半導体メモリと、を備えつつ、
上記ＨＤＭＩ端子と上記コンポジット端子とが同一のＤＶＤ再生装置に接続されると、同ＤＶＤ再生装置からは両端子それぞれに対して互いに同期した映像信号が入力され、
上記マイコンは、上記半導体メモリから入力設定情報を取得し、当該入力設定情報に基づき上記デジタルデコーダと上記アナログデコーダのいずれか一方から映像信号を出力させ、上記半導体メモリからＣＣ表示設定情報を取得し、当該ＣＣ表示設定情報がＣＣを出力させる設定のときは上記アナログデコーダを制御してクローズドキャプションを抽出出力させ、同クローズドキャプションに基づいて上記ＯＳＤ重畳部にオン・スクリーン・ディスプレイ表示を行わせることを特徴とするテレビ受像機。
【請求項２】
垂直帰線区間を備えない第一の規格の映像信号が入力される第一の入力端子と、垂直帰線区間を備える第二の規格の映像信号が入力される第二の入力端子と、を備え、映像信号に基づいて映像を画面に表示させる映像表示装置において、
上記第一の入力端子から入力される映像信号を受け付けて後段に出力する映像信号受付手段と、上記第二の入力端子から入力される映像信号を受け付けて垂直帰線区間から文字情報を抽出する文字情報抽出手段と、上記映像信号受付手段より出力される映像信号に上記文字情報を重畳する文字情報重畳手段とを備えることを特徴とする映像表示装置。
【請求項３】
上記文字情報重畳手段はオン・スクリーン・ディスプレイ表示にて文字情報を重畳することを特徴とする上記請求項２に記載の映像表示装置。
【請求項４】
上記第一の入力端子からの映像信号に基づく映像視聴時に、上記文字情報を重畳するか否かを選択する文字情報重畳選択手段を備えることを特徴とする上記請求項２または３に記載の映像表示装置。
【請求項５】
垂直帰線区間を備えない第一の規格の映像信号が入力される第一の入力端子と、垂直帰線区間を備える第二の規格の映像信号が入力される第二の入力端子と、を備え、映像信号に基づいて映像を画面に表示させる映像表示装置において、
上記第一の入力端子から入力される映像信号を受け付けて後段に出力する映像信号受付手段と、上記第二の入力端子から入力される映像信号を受け付けて垂直帰線区間から文字情報を抽出する文字情報抽出手段と、上記文字情報に基づく視聴制限を行う視聴制限手段を備えることを特徴とするの映像表示装置。
【請求項６】
上記視聴制限手段は、Ｖ−チップであり、上記文字情報はＶ−チップのレイティング情報であることを特徴とする上記請求項５に記載の映像表示装置。
【請求項７】
垂直帰線区間を備えない第一の規格の映像音声信号が入力される第一の入力端子と、垂直帰線区間を備える第二の規格の映像音声信号が入力される第二の入力端子と、を備え、映像信号に基づいて映像を画面に表示させつつ音声信号に基づいて音声出力を行う映像表示装置において、
上記第一の入力端子から入力される映像音声信号を受け付けて後段に出力する映像音声信号受付手段と、上記第二の入力端子から入力される映像音声信号を受け付けて垂直帰線区間から文字情報を抽出する文字情報抽出手段と、上記文字情報に基づいて音声出力を制限する音声出力制限手段を備えることを特徴とするの映像表示装置。
【請求項８】
上記音声出力制限手段は、テレビガーディアンであることを特徴とする上記請求項７に記載の映像表示装置。
【請求項９】
上記文字情報はクローズドキャプションデータであることを特徴とする上記請求項２、３、４、７、８のいずれかに記載の映像表示装置。
【請求項１０】
上記第一の入力端子から入力される映像信号と、上記第二の入力端子から入力される映像信号とは同期していることを特徴とする上記請求項２〜９のいずれかに記載の映像表示装置。
【請求項１１】
上記第一の規格は、ＨＤＭＩの規格であることを特徴とする上記請求項２〜１０のいずれかに記載の映像表示装置。
【請求項１２】
上記第二の規格は、コンポジット映像信号の規格であることを特徴とする上記請求項２〜１１のいずれかに記載の映像表示装置。
【発明の詳細な説明】
【技術分野】
【０００１】
本発明は、テレビ受像機および映像表示装置に関し、特に、垂直帰線区間（ＶＢＰ）用のデータを規格上伝送可能なインターフェースと伝送不可能なインターフェースが接続される端子を備えるテレビ受像機および映像表示装置に関する。
【背景技術】
【０００２】
従来、テレビ放送などのテレビジョン装置に表示させる映像信号には、画面を描き終わってから次の画面を描きはじめるまでのインターバル期間が設けられており、垂直帰線消去期間（ＶＢＩ）と呼ばれている。この区間は垂直帰線区間（ＶＢＰ）と呼ばれる。このＶＢＰには、画面を描きはじめるタイミングをとるための信号（垂直同期信号）等も含まれているが、一部はいわゆる冗長部分になっており、これを利用してクローズドキャプション（以下、ＣＣとする）などの文字多重放送やデータ多重放送が行なわれている。
【０００３】
また、近年、テレビジョン装置向けのディジタル映像・音声インターフェイスの１つとしてＨＤＭＩ（HDMI Licensing,LLCの商標）が業界標準の１つとなり、テレビジョン装置にＨＤＭＩ端子を備えることがトレンドとなっている。このＨＤＭＩはデジタル映像伝送技術であるＴＭＤＳ(Transition-Minimized Differential Signaling)をベースにしており、クリアな映像が視聴可能である。ＨＤＭＩは１９ピンコネクタのケーブル一本で映像・音声・制御信号の全てが送受信可能であり、ＲＧＢだけでなくＹＵＶにも対応している。同様にＴＭＤＳをベースとしたパソコン向け規格にＤＶＩがあるが、ＨＤＭＩとはコンセプトを異にしており、映像のみの送受信であり、対応映像信号もＲＧＢのみである。
【０００４】
このようなＨＤＭＩの普及に伴い、表示装置と接続するインターフェースを変更すると表示装置からアスペクト比などの表示条件を取得して画像出力装置に設定する技術が開示されている（特許文献１）。また、ＣＣを含むテレビ放送を日本でも視聴可能かつ高速に記録するために、ＣＣをサブピクチャ化して記録する技術が開示されている（特許文献２）。また、ＣＣを利用する発明として、ＥＰＧのような電子番組情報をＣＣ形式に変換し、映像信号に重畳して表示させる技術が開示されている（特許文献３）。また、ＨＤＭＩのデジタル信号を扱う基板とアナログ信号を扱う基板との距離を離して周波数の干渉を抑えることについて開示されている（特許文献４）。
【特許文献１】特開２００５−１０９７０３
【特許文献２】特開２００３−３４８５２９
【特許文献３】特開２００４−６４５４７
【特許文献４】特開２００６−４２２６０
【発明の開示】
【発明が解決しようとする課題】
【０００５】
このＨＤＭＩには、規格上ＶＢＰが存在せず、またＶＢＰに含まれる文字情報（ＣＣ、文字多重放送、Ｖ−チップ（violence chip）のレイティング情報など。以下ＶＢＰ情報と略す。）をエンコードして格納する規格も無い。従って、ＨＤＭＩ（またはＴＭＤＳ、ＤＶＩ）のクリアな映像を見たい場合は、ＣＣなどのＶＢＰ情報を利用することが出来ず、一方、ＶＢＰ情報を利用したいときは映像がクリアでないコンポジット信号（アナログ）を利用するしかなかった。
【０００６】
つまり、ＨＤＭＩを利用した映像表示を行うと以下の課題が存在した。
・ＣＣを必要とする聴覚障害者は、クリアな映像を楽しむことが出来ない。
・ＶＢＰ情報を利用して視聴制限を行うＶ−チップなどの視聴制限手段が利用できなくなる
・ＣＣを利用して音声情報とＣＣとに制限をおこなうテレビガーディアンなどの音声・文字制限手段が利用できなくなる
【０００７】
また、映像と同時に画面に表示される文字情報として、例えばＤＶＤに含まれるサブタイトルや字幕などがあり、これらをＣＣの代わりとして聴覚障害者が使用することも考えられる。しかしながら、これらはＣＣとは本質的に異なる情報であり、ＣＣが音声とほぼリアルタイムで１対１対応してるのに対し、字幕は音声の内容やタイミングと必ずしも一致したものではない。
【０００８】
本発明は上記課題に鑑みてなされたもので、ＨＤＭＩのクリアな映像を楽しみつつ、ＶＢＰ情報（ＣＣ、文字多重放送、Ｖ−チップのレイティング情報など）を利用することの可能なテレビ受像機および映像表示装置を提供することを目的とする。
【課題を解決するための手段】
【０００９】
上記課題を解決するための第一の構成例として、本発明では、ＨＤＭＩ規格の映像信号が入力されるＨＤＭＩ端子と、コンポジット映像信号が入力されるコンポジット端子と、を備えて、入力された映像信号に基づいて映像を画面に表示するテレビ受像機において、
ＨＤＭＩ端子より入力された映像信号を後段に出力するデジタルデコーダと、コンポジット端子より入力された映像信号からＲ（赤）Ｇ（緑）Ｂ（青）の３原色信号を復調し、かつ、デジタル信号に変換して後段に出力するとともに垂直帰線区間のクローズドキャプションを抽出して出力可能なアナログデコーダと、上記デジタルデコーダと上記アナログデコーダのいずれか一方より映像信号を入力されて、同映像信号が画面の画素数に合致するようにスケーリング処理を施して出力するスケーラと、上記スケーラより出力される映像信号に所定の文字情報をオン・スクリーン・ディスプレイ表示にて重畳させるＯＳＤ重畳部と、上記ＯＳＤ重畳部より出力される映像信号に基づいてディスプレイを駆動制御するドライバと、上記アナログデコーダより出力されるクローズドキャプションを受け取り、同クローズドキャプションに対応する映像信号の処理とタイミングを合わせて上記ＯＳＤ重畳部にクローズドキャプションをオン・スクリーンディスプレイ表示にて表示させるマイコンと、上記ＨＤＭＩ端子と上記コンポジット端子のいずれの映像信号を表示させるかの入力設定情報と、上記クローズドキャプションを表示させるか否かのＣＣ表示設定情報とを保持する半導体メモリと、を備えつつ、
上記ＨＤＭＩ端子と上記コンポジット端子とが同一のＤＶＤ再生装置に接続されると、同ＤＶＤ再生装置からは両端子それぞれに対して互いに同期した映像信号が入力され、
上記マイコンは、上記半導体メモリから入力設定情報を取得し、当該入力設定情報に基づき上記デジタルデコーダと上記アナログデコーダのいずれか一方から映像信号を出力させ、上記半導体メモリからＣＣ表示設定情報を取得し、当該ＣＣ表示設定情報がＣＣを出力させる設定のときは上記アナログデコーダを制御してクローズドキャプションを抽出出力させ、同クローズドキャプションに基づいて上記ＯＳＤ重畳部にオン・スクリーン・ディスプレイ表示を行わせる構成としてある。
【００１０】
また、上記目的を達成するための第二の構成例として、本発明の映像表示装置では、垂直帰線区間を備えない第一の規格の映像信号が入力される第一の入力端子と、垂直帰線区間を備える第二の規格の映像信号が入力される第二の入力端子と、を備え、映像信号に基づいて映像を画面に表示させる映像表示装置において、上記第一の入力端子から入力される映像信号を受け付けて後段に出力する映像信号受付手段と、上記第二の入力端子から入力される映像信号を受け付けて垂直帰線区間から文字情報を抽出する文字情報抽出手段と、上記映像信号受付手段より出力される映像信号に上記文字情報を重畳する文字情報重畳手段とを備える構成としてある。
すなわち、上記映像信号受付手段が上記第一の入力端子から入力される映像信号を受け付けて後段に出力し、上記文字情報抽出手段が上記第二の入力端子から入力される映像信号を受け付けて垂直帰線区間から文字情報を抽出し、上記文字情報重畳手段が上記映像信号受付手段より出力される映像信号に上記文字情報を重畳する。これにより、第一の規格の映像信号に基づく映像を視聴しつつ、第二の規格にしか存在しない文字情報に基づく表示をも視聴する（利用する）ことができ、いずれか一方（例えば第一の入力端子から入力される映像信号）のみに基づいて映像表示を行う場合に比してユーザの利便性が向上する。
ここで上記第一の規格としては、垂直帰線消去期間、すなわち垂直帰線区間を備えないものであり、かつ、垂直帰線区間に搭載可能なデータ（例えばクローズドキャプション、Ｖ−チップのレイティング情報、インターテキスト、アダマス（ADAMS:TV-Asahi Data and Multimedia Service）、ビットキャスト、ＨＴＭＬ形式のコンテンツ）を他の形式で保持する仕様（例えばデジタルデータであればヘッダやフッタなどにエンコードして保持する仕様）を備えないものである。具体的にはＨＤＭＩ（High-Definition Multimedia Interface）やＤＶＩ（Digital Visual Interface）、そしてこれらの上記規格であるＴＭＤＳ（Transition-Minimized Differential Signaling）が考えられるが、むろんこれらに限られるものではない。
一方、上記第二の規格としては、垂直帰線消去期間（ＶＢＩ）、すなわち垂直帰線区間（ＶＢＰ）を備えるものであり、ある画面を描き終わってから、その次の画面を描きはじめるまでの間に映像信号の送信に使用されない区間がある規格である。具体的には、アナログテレビ放送や、コンポジット端子やＳ端子やコンポーネント端子などのアナログ映像信号伝送用の規格である。
また、上記文字情報としては、所定の文字コード仕様に基づいて復元（解釈）可能であればよく、復元（解釈）された情報を人が読解可能である必要はない。例えば、所定の文字コード仕様に基づいて復元された情報が、０（オフ）と１（オン）の羅列であっても、この羅列が意味する内容を上記文字情報重畳手段が所定の文字コード仕様に基づいて解釈可能であれば構わない。
【００１１】
そして、上記文字情報重畳手段はオン・スクリーン・ディスプレイ（ＯＳＤ）表示にて文字情報を重畳する構成としてもよい。上記文字情報を映像信号に重畳する際、表示される文字の色（例えば黒）に対して周囲の所定領域の色を特定の色（例えば白）として表示する手法がある（例えば従来のクローズドキャプションの表示法）が、この手法だと文字部分のみならず周囲の所定領域までも本来の映像信号が視聴不可能になる。そこでＯＳＤ表示を採用することにより、文字の背景を透過色として本来の映像の欠除を最小限に止め、ユーザの映像視聴の妨げを最小限とした。よって、文字情報を表示可能としてユーザの利便性を低下させることなく、同時に映像の欠除も最小限に止めてユーザの利便性の向上が図れる。
【００１２】
さらに、上記第一の入力端子からの映像信号に基づく映像視聴時に、上記文字情報を重畳するか否かを選択する文字情報重畳選択手段を備える構成としてもよい。この構成では、例えば所定の操作入力手段からユーザの操作入力を受け付け、文字情報重畳選択手段が上記文字情報抽出手段もしくは上記文字情報情報手段のいずれかまたは双方を制御して、文字情報を抽出させる（もしくは画面に文字情報を表示させる）か否かを選択制御する。すなわち、文字情報の表示が不要と考えるユーザも存在することが想定され、このようなユーザのためには文字情報の表示／非表示を選択可能にすることがユーザの利便性の向上につながるための構成である。
【００１３】
さらに、上記目的を達するための第三の構成例として、垂直帰線区間を備えない第一の規格の映像信号が入力される第一の入力端子と、垂直帰線区間を備える第二の規格の映像信号が入力される第二の入力端子と、を備え、映像信号に基づいて映像を画面に表示させる映像表示装置において、上記第一の入力端子から入力される映像信号を受け付けて後段に出力する映像信号受付手段と、上記第二の入力端子から入力される映像信号を受け付けて垂直帰線区間から文字情報を抽出する文字情報抽出手段と、上記文字情報に基づく視聴制限を行う視聴制限手段を備える構成としてもよい。
すなわち、上記映像信号受付手段が上記第一の入力端子から入力される映像信号を受け付けて後段に出力し、上記文字情報抽出手段が上記第二の入力端子から入力される映像信号を受け付けて垂直帰線区間から文字情報を抽出し、上記視聴制限手段が上記文字情報に基づいて視聴制限を行う。これにより、第一の規格の映像信号に基づく映像を視聴しつつ、第二の規格にしか存在しない文字情報に基づく視聴制限を行うことができ、第一の入力端子からの映像信号のみに基づいて映像表示を行う場合に比してユーザの利便性が向上する。この視聴制限としては、特定の文字情報（例えば映像に暴力的な映像が含まれている旨示す情報）を有する映像信号部分（例えば１フレーム分）を画面に表示させないなどの処理のことである。また、第一の規格および第二の規格については上述した第二の構成例のものと同様であるが、文字情報は上述した文字情報とは異なり、復元する必要はなく、上記視聴制限手段が解釈可能であればいかなる情報であっても構わない。
【００１４】
さらに、上記第三の構成例におけるより具体的な構成例として、上記視聴制限手段をＶ−チップとし、上記文字情報をＶ−チップのレイティング情報としてもよい。すなわちＶ−チップのように広く普及している（たとえばアメリカ合衆国などの北米で普及している）仕様を採用することにより、より多くのユーザが利用可能となり、ユーザの利便性がさらに向上する。
【００１５】
さらに、上記目的を達するための第四の構成例として、垂直帰線区間を備えない第一の規格の映像音声信号が入力される第一の入力端子と、垂直帰線区間を備える第二の規格の映像音声信号が入力される第二の入力端子と、を備え、映像信号に基づいて映像を画面に表示させつつ音声信号に基づいて音声出力を行う映像表示装置において、上記第一の入力端子から入力される映像音声信号を受け付けて後段に出力する映像音声信号受付手段と、上記第二の入力端子から入力される映像音声信号を受け付けて垂直帰線区間から文字情報を抽出する文字情報抽出手段と、上記文字情報に基づいて音声出力を制限する音声出力制限手段を備える構成としてもよい。
すなわち、上記映像音声信号受付手段が上記第一の入力端子から入力される映像音声信号を受け付けて後段に出力し、上記文字情報抽出手段が上記第二の入力端子から入力される映像音声信号を受け付けて垂直帰線区間から文字情報を抽出し、上記音声出力制限手段が上記文字情報に基づいて音声出力を制限する。これにより、第一の規格の映像音声信号に基づく映像を視聴しつつ、第二の規格にしか存在しない文字情報に基づく音声出力を制限することが可能となり、第一の入力端子からの映像音声信号のみに基づいて映像表示や音声出力を行う場合に比してユーザの利便性が向上する。ここで音声信号の出力制限とは、文字情報に予め設定されている不適切な単語（ＮＧワード）が含まれた場合に、同文字情報に対応する音声出力を消音（もしくは音声信号をカット）することを意味する。また、第一の規格および第二の規格、そして文字情報については上述した第二の構成例のものと同様である。
【００１６】
さらに、上記第四の構成例におけるより具体的な構成例として、上記音声出力制限手段をテレビガーディアンとしても構わない。すなわちテレビガーディアンのように広く普及している（たとえばアメリカ合衆国などの北米で普及している）仕様を採用することにより、より多くのユーザが利用可能となり、ユーザの利便性がさらに向上する。
【００１７】
さらに、上記第二、四の構成例におけるより具体的な構成例として、上記文字情報をクローズドキャプションデータとしても構わない。すなわちクローズドキャプションのように広く普及している（たとえばアメリカ合衆国などの北米で普及している）仕様を採用することにより、より多くのユーザが利用可能となり、ユーザの利便性がさらに向上する。
【００１８】
さらに、上記第一の入力端子から入力される映像信号と、上記第二の入力端子から入力される映像信号とが同期している構成としてもよい。すなわち、上記第一の入力端子と上記第二の入力端子とからそれぞれ入力される映像信号（または映像音声信号）が同期していると、上記第二の入力端子から入力される映像信号（または映像音声信号）に含まれる文字情報に基づいて、上記第一の入力端子から入力される映像信号（または映像音声信号）に文字情報を重畳（もしくは文字情報に基づく視聴制限、もしくは音声出力制限）する際に、文字情報を重畳（もしくは文字情報に基づく視聴制限、もしくは音声出力制限）する処理を行うタイミングがとりやすくなり装置の設計が容易となる。
【００１９】
さらに、上記第一の規格のより具体的な構成例として、上記第一の規格をＨＤＭＩの規格としてもよい。すなわちＨＤＭＩのように広く普及する（業界標準の１つとなる）とともに搭載することがトレンドとなっている仕様を採用することにより、より多くのユーザが利用可能となり、ユーザの利便性がさらに向上する。
【００２０】
さらに、上記第二の規格のより具体的な構成例として、上記第二の規格をコンポジット映像信号の規格としてもよい。すなわち、コンポジット端子の規格のように広く普及する（ほぼ全ての映像表示装置にすでに搭載されいている）仕様を採用することにより、より多くのユーザが利用可能となり、ユーザの利便性がさらに向上する。
【発明の効果】
【００２１】
以上説明したように本発明によれば、ユーザの利便性が向上する映像表示装置を提供することができる。
また請求項３にかかる発明によれば、ユーザの利便性を低下させることなく、同時にユーザの利便性が向上する映像表示装置を提供することが出来る。
そして請求項４にかかる発明によれば、さらにユーザの利便性が向上する映像表示装置を提供することが出来る。
さらに請求項５にかかる発明によれば、ユーザの利便性が向上する映像表示装置を提供することが出来る。
また請求項６にかかる発明によれば、さらにユーザの利便性が向上する映像表示装置を提供することが出来る。
そして請求項７にかかる発明によれば、ユーザの利便性が向上する映像表示装置を提供することが出来る。
そして請求項８にかかる発明によれば、さらにユーザの利便性が向上する映像表示装置を提供することが出来る。
そして請求項９にかかる発明によれば、さらにユーザの利便性が向上する映像表示装置を提供することが出来る。
そして請求項１０にかかる発明によれば、設計の容易な映像表示装置を提供することが出来る。
そして請求項１１にかかる発明によれば、さらにユーザの利便性が向上する映像表示装置を提供することが出来る。
そして請求項１２にかかる発明によれば、さらにユーザの利便性が向上する映像表示装置を提供することが出来る。
さらに請求項１のような、より具体的な構成において、上述した請求項２〜４および請求項９〜１２の各発明と同様の作用を奏することはいうまでもない。
【発明を実施するための最良の形態】
【００２２】
以下、下記の順序に従って本発明の実施形態を説明する。
（１）テレビ受像機の構成：
（２）クローズドキャプションの表示制御を行うマイコンの処理：
（３）Ｖ−チップを備えるテレビ受像機（第一の変形例）：
（４）テレビガーディアンを備えるテレビ受像機（第二の変形例）：
（５）まとめ：
【００２３】
（１）テレビ受像機の構成： 
以下、図１〜３を参照して、本発明の映像表示装置、映像表示制御方法および映像表示制御プログラムについて、これらを具体化したテレビ受像機を例にとって説明する。
まず、図１を参照してテレビ受像機１０の構成（概略構成）について説明する。同図には、テレビ受像機をブロック図にて示してある。
【００２４】
このテレビ受像機１０は、少なくとも２系統以上の映像信号入力端子（図１ではＨＤＭＩ端子１０ａとコンポジット端子１０ｂ）を備えており、いずれか１系統からの映像信号入力端子、もしくは２系統の映像信号入力端子から同時に映像信号入力が可能であり、入力された映像信号に基づいた映像をディスプレイ１０ｈに表示させる。映像信号入力端子は、少なくとも一方が垂直帰線区間（ＶＢＰ）を備えることが可能な第二の規格（図１ではコンポジット端子１０ｂを介して入力される映像信号の規格）であり、このＶＢＰに含まれるＶＢＰ情報に基づいて、ＶＢＰを含む映像信号（ここではコンポジット信号）のみならず他方の映像信号（ここではＨＤＭＩ（第一の規格）を介して入力される映像信号）を制御することも可能となっている。
【００２５】
また、テレビ受像機１０には、ＨＤＭＩ端子１０ａやコンポジット端子１０ｂを介してＤＶＤ再生装置１５（データ再生装置）が接続可能である。このＤＶＤ再生装置１５には、テレビ受像機１０の映像信号入力端子と対応する映像信号出力端子（図１ではＨＤＭＩ端子１５ａやコンポジット端子１５ｂ）を備えており、複数の端子から同一の映像データに基づく映像信号を双方に同時に出力することが可能である。
【００２６】
具体的には、テレビ受像機１０は、ＨＤＭＩ端子１０ａからの映像信号が入力されるデジタルデコーダ１０ｃと、コンポジット端子１０ｂからの映像信号が入力されるアナログデコーダ１０ｄ（アナログの映像信号をデコードするデコーダであり、ＮＴＳＣデコーダなど）と、ディスプレイ１０ｈの画面の画素数に合致するように映像信号の変換を行うスケーラ１０ｅと、マイコン１０ｉからの制御に基づいて映像信号にＯＳＤ（オン・スクリーン・ディスプレイ）信号を重畳するＯＳＤ重畳部１０ｆと、映像信号に基づいてディスプレイ１０ｈの各画素を駆動させて映像を表示させるドライバ１０ｇと、マイコン１０ｉがテレビ受像機１０を制御する際に必要なデータ（アプリケーションや各種設定値）が記録された半導体メモリ１０ｋと、マイコンにクロック信号を提供するタイマ回路１０ｊと、から構成される。
【００２７】
次に、図１の各構成の作用と、構成間の関係について詳細に説明する。
データ再生装置（ここではＤＶＤ再生装置１５）は、記録媒体（例えばＤＶＤ、ビデオＣＤ、ハードディスク、など）から映像信号を読み取り再生し、ＨＤＭＩ端子１５ａもしくはコンポジット端子１５ｂ（またはＳ端子やコンポーネント端子などのアナログ出力端子）のいずれかまたは双方から、再生した映像信号を出力する。また、本実施例においては、ＨＤＭＩ端子１５ａとコンポジット端子１５ｂ（またはＳ端子やコンポーネント端子などのアナログ出力端子）から出力されるデータは同タイミングで出力される（同期している）ものとする。
【００２８】
デジタルデコーダ１０ｃは、ＨＤＭＩ端子１０ａを介してＨＤＭＩ規格のデジタル映像信号を受け取り、スケーラ１０ｅに出力する。本実施例においては、デジタルデコーダ１０ｃはデジタルデータを前段から受け取り、後段に出力するレシーバとして機能している。むろん、その際必要であれば、スケーラ１０ｅが処理可能なデータ形式にデータ変換を行ってもよい。すなわちデジタルデコーダ１０ｃが、上記第一の入力経路から入力される映像信号を受け付けて後段に出力する映像信号受付手段を構成する。
【００２９】
アナログデコーダ１０ｄは、コンポジット端子１０ｂ（もしくはＳ端子やコンポーネント端子などのアナログ出力端子）を介してコンポジット映像信号を受け取り、入力された映像信号からＲ（赤）Ｇ（緑）Ｂ（青）の３原色信号を復調し、かつ、デジタル信号に変換してスケーラ１０ｅに出力する。また、マイコン１０ｉから所定の制御信号を受信すると、映像信号の垂直帰線区間（ＶＢＰ）部分からＶＢＰ情報を抜き出してマイコン１０ｉに出力する。例えば、ＮＴＳＣ方式の映像信号では、５２５本ある走査線のうち走査線１番目から２１番目までの領域がこのＶＢＰに相当し、文字情報はこの領域に載せられる。特に、この中の２１番目の走査線はクローズドキャプション（ＣＣ）の文字情報を載せる領域とされており、アナログデコーダ１０ｄ（ＮＴＳＣデコーダ）がＣＣを取得するには、走査線２１番目（通称ライン２１）を抜き取る（スライスする）ことになる。すなわちアナログデコーダ１０ｄが、上記第二の入力経路から入力される映像信号を受け付けて垂直帰線区間から文字情報を抽出する文字情報抽出手段を構成する。
【００３０】
以上より、本実施例においては、ＨＤＭＩインターフェースを介してＨＤＭＩ１５ａと接続されるＨＤＭＩ端子１０ａが第一の入力端子を構成し、ケーブルを介してコンポジット端子１５ｂ（またはＳ端子やコンポーネント端子などのアナログ出力端子）と接続されるコンポジット端子１０ｂ（もしくはＳ端子やコンポーネント端子などのアナログ出力端子）が第二の入力端子を構成する。
【００３１】
デジタルデコーダ１０ｃとアナログデコーダ１０ｄとは、いずれか一方から出力される映像信号がスケーラ１０ｅに供給される。これは、デジタルデコーダ１０ｃとアナログデコーダ１０ｄの双方をそれぞれマイコンで制御していずれか一方のみから映像信号がスケーラ１０ｅに出力されるように構成してもよいし、スケーラ１０ｅの前段にスイッチ回路を設けてマイコンで切換制御するように構成してもよい。
【００３２】
スケーラ１０ｅは、デジタルデコーダ１０ｃ若しくはアナログデコーダ１０ｄのいずれか一方から映像信号を受け取り、ＲＧＢ信号で表現された映像信号に基づいてディスプレイ１０ｈの画素数（横画素数ｍ、縦画素数ｎのとき、ｍ×ｎ画素）に合わせたスケーリング処理を行い、ディスプレイ１０ｈに表示する１画面分の画像データを生成する。このとき所定のタイミングで画像データを生成しないと、画面の所定領域や特定の画面には映像が表示されない。
【００３３】
ＯＳＤ重畳部１０ｆは、マイコンの制御信号（指示）に基づいて各種表示に対応するＯＳＤ信号を生成するとともに、スケーラ１０ｅより受け取った映像信号にこのＯＳＤ信号を重畳してドライバ１０ｇに供給する。このときマイコンは、例えばＣＣをＯＳＤ表示させるのであれば、ＣＣの文字情報、若しくはＯＳＤ信号そのものを制御信号とともにスケーラ１０ｅに送出すればよい。
【００３４】
ドライバ１０ｇは、スケーラ１０ｅから出力される映像信号に基づいてディスプレイ１０ｈの各画素を駆動させ、ディスプレイ１０ｈの画面に映像表示を行わせる。
【００３５】
マイコン１０ｉにはタイマ回路１０ｊが接続されており、スケーラ１０ｅやＯＳＤ重畳部１０ｆの制御を行って所定のタイミングで映像信号に所定の処理（ＯＳＤ信号の重畳や映像信号の出力停止などの映像信号処理）を行わせる際に同期を取るためのクロック信号が供給される。また、マイコン１０ｉは映像信号の半導体メモリ１０ｋに記憶された各種設定値に基づいて、適宜アプリケーションの読み出しを行いつつ、テレビ受像機１０全体を制御したり各種設定値の更新を行ったりする。また、マイコン１０ｉデジタルデコーダ１０ｃから出力される映像信号とアナログデコーダ１０ｄから出力される文字情報とが同期するようにＯＳＤ重畳部１０ｆやスケーラ１０ｅに処理を行わせることが可能となっている。
【００３６】
上述した実施例においては、映像表示装置（テレビ受像機１０）とデータ再生装置（ＤＶＤ再生装置１５）とは別体であるものとして記載したが、本発明の思想は以下のような構成であっても実現可能であることはいうまでも無い。
・データ再生装置がデジタルデコーダ１０ｃ、アナログデコーダ１０ｄ、マイコン、スケーラ１０ｅ、ＯＳＤ重畳部１０ｆに相当する機能を備えていれば、ドライバ１０ｇとディスプレイ１０ｈとは必ずしも必要ではなく、データ再生装置が映像表示装置の構成も実現している
・テレビ受像機とＤＶＤ再生装置が一体に構成されてコンボ機として実現されるように、映像表示装置とデータ再生装置も一体に構成されてコンボ機として実現可能である。
・データ再生装置はＤＶＤ再生装置に限るものではなく、ＨＤＤ、半導体メモリ、磁気記録テープなどの各種記録媒体から映像信号を再生して出力する装置であってもよく、ＶＢＰを規格上備えない出力とＶＢＰを規格上備える出力の双方の出力が可能であればいかなるものであっても構わない。
・映像表示装置としてはテレビ受像機に限るものではなく、ＤＶＩ端子（またはＴＭＤＳ端子）とコンポジット端子を備えたＰＣや、ＤＶＩ端子（またはＴＭＤＳ端子）とコンポジット端子を備えて映像信号処理を内部で行うことの可能なディスプレイなども考えられる。
・本発明では、ＨＤＭＩなどのデジタル映像信号を扱うため、液晶テレビやプラズマテレビなどの画素毎に制御されるパネル型テレビを想定して記載してあるが、ドライバ１０ｇとして垂直偏向回路や水平偏向回路などを使用するとブラウン管テレビなどにも適用可能であることは言うまでも無い。
【００３７】
（２）クローズドキャプションの表示制御を行うマイコンの処理： 
次に、図２を参照して、ＨＤＭＩ端子１０ａとコンポジット端子１０ｂのいずれの端子から入力される映像信号をスケーラ１０ｅに出力させるかを制御するとともに、コンポジット端子１０ｂから入力されるＶＢＰ情報を使用するか否かを制御するマイコンの処理を説明する。ここでは、特にＶＢＰ情報のうちクローズドキャプションデータを使用する場合を例にとって説明する。図２には、マイコンの処理をフローチャートにて示してある。この処理はテレビ受像機の電源がオンの間は繰り返し行われる構成にしてもよいし、テレビ受像機がオンとなった時とる設定値（半導体メモリ１０ｋに記憶されている設定値）が更新された時とに実行される構成にしてもよい。
【００３８】
設定値は、図示しない所定のリモコンや操作パネルなどを操作入力することで変更可能である。より具体的には、「入力切換」と「ＣＣ表示」の専用のボタンをそれぞれ設け、「入力切換」ボタンを操作すると同操作を検知したマイコンが半導体メモリ１０ｋの「入力切換」の設定値（入力設定情報）もしくは「ＣＣ表示」の設定値（ＣＣ表示設定情報）を変更する。すると、後述する処理が実行され、スケーラ１０ｅに映像信号を供給する供給元がアナログデコーダ１０ｄとデジタルデコーダ１０ｃとで切り換わる。むろんメニュー画面から設定を行う構成としても構わない。
【００３９】
この「ＣＣ表示」ボタンの押下げを検知して半導体メモリ１０ｋの「ＣＣ表示」の設定値を変更するマイコンが、ＨＤＭＩ端子１０ａ（第一の入力端子）からの映像信号に基づく映像が選択されているとき（映像視聴時）、ＣＣ（文字情報）を映像信号に重畳するか否かを選択する文字情報重畳選択手段を構成する。
【００４０】
処理を開始すると、ステップＳ１０で、半導体メモリ１０ｋから「入力切換」の設定値を取得し、この設定値からＨＤＭＩがスケーラ１０ｅへの映像信号供給元とする設定であるか否かを判断する。ＨＤＭＩがスケーラ１０ｅへの映像信号供給元である場合は、条件成立としてステップＳ１２に進み、デジタルデコーダ１０ｃからスケーラ１０ｅに対して映像信号を出力させるとともに、アナログデコーダ１０ｄからスケーラ１０ｅに対する映像信号出力を停止させる。一方、ＨＤＭＩがスケーラ１０ｅへの映像信号供給元でない場合は、条件不成立としてステップＳ１４に進み、デジタルデコーダ１０ｃからスケーラ１０ｅに対する映像信号の出力を停止させるとともに、アナログデコーダ１０ｄからスケーラ１０ｅに対して映像信号を出力させる。
【００４１】
ステップＳ１２またはステップＳ１４が終了するとステップＳ１６に進み、半導体メモリ１０ｋから「ＣＣ表示」の設定値を取得し、この設定値からアナログデコーダ１０ｄからＣＣを出力させる設定であるか否かを判断する。アナログデコーダ１０ｄからＣＣを出力させる設定である場合は、条件成立としてステップＳ１８に進む。一方、アナログデコーダ１０ｄからＣＣを出力させる設定出ない場合は、条件不成立として当該処理を終了する。
【００４２】
ステップＳ１８では、ＣＣを抽出（スライス）してマイコンに出力させる制御信号をアナログデコーダ１０ｄに出力し、アナログデコーダ１０ｄからＣＣのデータを受け取る。そして、ステップＳ２０では、ＣＣのデータに基づいたＯＳＤ表示をＯＳＤ重畳部１０ｆに行わせる制御信号を同ＯＳＤ重畳部１０ｆに出力し、スケーラ１０ｅから出力される映像信号にＣＣをＯＳＤ表示させて当該処理を終了する。通常のＣＣが文字の背景が非透過であるのに対し、ＣＣをＯＳＤ表示させると文字の背景が無いため、ＣＣ表示による表示映像の欠損が少なくなる。むろん、ＯＳＤ表示でなく、通常のＣＣ表示を行わせても構わない。
【００４３】
以上より、ステップＳ１０、Ｓ１２の処理を行うマイコンと、同マイコンの制御に従ってＨＤＭＩ端子１０ａ（第一の入力端子）から入力される映像信号を受け付けてスケーラ１０ｅ（後段）に出力するデジタルデコーダ１０ｃとが、映像信号受付手段を構成する。また、ステップＳ１６、Ｓ１８の処理を行うマイコンと、同マイコンの制御に従ってコンポジット端子１０ｂ（第二の入力端子）から入力される映像信号を受け付けてＶＢＰからＣＣ（文字情報）を抽出するアナログデコーダ１０ｄとが、文字情報抽出手段を構成する。さらに、ステップＳ２０の処理を行うマイコンと、デジタルデコーダ１０ｃからスケーラ１０ｅを経由して出力される映像信号に対し同マイコンの制御に従ってＣＣ（文字情報）を重畳するＯＳＤ重畳部１０ｆが、文字情報重畳手段を構成する。
【００４４】
以下、上記構成からなる本実施形態の動作を説明する。
ユーザがテレビ受像機の電源を投入すると、マイコンが半導体メモリ１０ｋの「入力切換」の設定値を取得し、同設定値がＨＤＭＩ端子１０ａとコンポジット端子１０ｂのいずれの入力を後段に出力するように設定されているかを判断する。ＨＤＭＩ端子１０ａからの入力を出力するように設定されている時は、デジタルデコーダ１０ｃからスケーラ１０ｅに映像信号を出力するようにマイコンが制御し、ディスプレイ１０ｈにはＨＤＭＩ端子１０ａから入力されるデジタルデータに基づきクリアな映像が表示される。一方、コンポジット端子１０ｂからの映像信号を出力するように設定されているときは、アナログデコーダ１０ｄからスケーラ１０ｅに映像信号を出力するようにマイコンが制御し、ディスプレイ１０ｈにはコンポジット端子１０ｂから入力されるアナログデータに基づきやや不鮮明な映像が表示される。
【００４５】
次にマイコンは、半導体メモリ１０ｋから「ＣＣ表示」の設定値を取得し、同設定値がＣＣを表示する設定であるか否かを判断する。ＣＣを出力する設定であるときは、アナログデコーダ１０ｄにＣＣを抽出してマイコンに出力するよう制御信号を出力する。そして、マイコンは、映像信号がＯＳＤ重畳部１０ｆで処理されるタイミングに合わせてＣＣをＯＳＤ重畳部１０ｆに出力し、映像信号と対応するＣＣをＯＳＤ表示させる。一方、ＣＣを出力しない設定であるときは、ＨＤＭＩ端子１０ａからの映像信号、もしくはコンポジット端子１０ｂからの映像信号のみがディスプレイ１０ｈに表示される。
【００４６】
従って、ＨＤＭＩ端子１０ａからの映像信号がディスプレイ１０ｈに表示されているときは、クリアな映像とともにＯＳＤ表示されたＣＣが表示される。また、コンポジット端子１０ｂからの映像信号がディスプレイ１０ｈに表示されているときは、ＨＤＭＩ端子１０ａからの映像信号がディスプレイ１０ｈに表示されているとき比べてやや不鮮明な映像とともにＯＳＤ表示されたＣＣが表示される。
【００４７】
（３）Ｖ−チップを備えるテレビ受像機（第一の変形例）： 
ところで、ＶＢＰを備える映像信号の中には、このＶＢＰにレイティング情報（または視聴許容ランク情報などの視聴制限情報）を含むものが存在する。その１つにＶ−チップ（violence chip）のレイティング情報がある。これはＶＢＰに含まれるレイティング情報（文字情報）に基づいて、あらかじめユーザによって視聴を許容された（もしくは許容されない）レイティング値（以下、「許容値」とする）の映像信号のみを出力（画面に表示）させる（もしくは出力させない）、ことにより視聴制限を行うというものである。
【００４８】
しかしながら、ＨＤＭＩ（第一の規格）のように規格上ＶＢＰを備えない映像信号では、この視聴制限を行えなくなり、ユーザの利便性が損なわれる。従って、本発明のようにＨＤＭＩ（第一の規格）の映像信号で映像表示を行いつつ、コンポジット（第二の規格）に含まれるＶＢＰのレイティング情報を利用して映像表示の視聴制限（表示制限）を行うことを提案するものである。
【００４９】
本第一の変形例の構成は、上記実施例と共通の構成で実現できるため、図１の構成に基づいて説明する。以下に上記実施例と相違する点を中心に説明する。
【００５０】
アナログデコーダ１０ｄは、マイコン１０ｉから所定の制御信号を受信すると、映像信号の垂直帰線区間（ＶＢＰ）部分からレイティング情報（ＶＢＰ情報）を抜き出して（スライスして）マイコン１０ｉに出力する。すなわちアナログデコーダ１０ｄが、コンポジット端子（第二の入力端子）から入力される映像信号を受け付けてＶＢＰからレイティング情報（文字情報）を抽出する（スライスする）文字情報抽出手段を構成する。
【００５１】
アナログデコーダ１０ｄからレイティング情報を受け取ったマイコンは、同レイティング情報と半導体メモリ１０ｋに記録された「許容値」とを比較し、視聴が許容されているか否かを判断する。視聴が許容されていればスケーラ１０ｅやＯＳＤ重畳部１０ｆにはそのまま映像信号を出力させる（もしくは何も制御信号を出力しない）。一方、視聴が許容されていないときは、許容されていない映像信号がスケーラ１０ｅにて処理されるタイミングと合わせてスケーラ１０ｅに制御信号を出力し、映像信号の出力を視聴が許容されていない範囲の映像信号が出力されないようにする。
【００５２】
このときＯＳＤ表示で視聴制限がなされている旨を表示させると、突然映像の表示が途切れてユーザが故障と勘違いすることがなくて好適である。また、スケーラ１０ｅに制御信号を出力する代わりに、ＯＳＤ重畳部１０ｆに画面全体を覆うようにＯＳＤ表示を行わせても、同様の効果が得られる。
【００５３】
「許容値」の設定は、図示しないリモコンや操作パネルに専用の操作ボタンを設けてもよいし、メニュー画面の一項目でレイティング情報を設定できるようにしてもよい。
【００５４】
以上より、マイコンの制御に従ってＶ−チップのレイティング情報（文字情報）を出力するアナログデコーダ１０ｄが文字情報抽出手段に相当し、Ｖ−チップのレイティング情報（文字情報）に基づいてスケーラ１０ｅ（もしくはＯＳＤ重畳部１０ｆ）を制御して所定のレイティングの映像信号を視聴（出力）させないようにする処理を行うマイコンが、視聴制限手段を構成する。
【００５５】
以下、上記構成からなる本第一の変形例の動作を説明する。
テレビ受像機の電源が投入されると、アナログデコーダ１０ｄが映像信号からレイティング情報を抽出してマイコンに出力する。レイティング情報を受け取ったマイコンは、半導体メモリ１０ｋより「許容値」のデータを取得してレイティング値と比較する。もしレイティング値が許容値の範囲内であれば、スケーラ１０ｅとＯＳＤ重畳部１０ｆにそのまま映像信号を処理させ、ディスプレイ１０ｈには映像が表示される。一方、レイティング値が許容値の範囲外であれば、同レイティング情報を含んでいた映像信号が処理されるタイミングに合わせてスケーラ１０ｅを制御し、映像信号がドライバ１０ｇに出力されないようにする。そのため許容値の範囲外のレイティング情報が載せられた映像信号は画面に表示されない。
【００５６】
（４）テレビガーディアンを備えるテレビ受像機（第二の変形例）： 
また、ＣＣに基づいて、同ＣＣに対応する音声をカット（修正）することにより、不適切な音声出力がなされないようにする方法や装置が知られている。その１つにテレビガーディアンがある。これは、音声出力とＣＣの表示とが同期してなされることを利用したものであり、まず、ＣＣに含まれる単語をあらかじめ用意された辞書（不適切な言葉、宗教的な言葉、汚い言葉を集めたもの。以下ＮＧワードとする。）と比較することにより、ＮＧワードを特定する。そしてＮＧワードを適切な言葉に置換（もしくはＮＧワードを削除）するとともに、同ＮＧワードの表示タイミングと同時に出力される音声もミュートする。これにより、ＣＣのＮＧワードが表示されることがなく、さらにＮＧワードが音声出力されることもなくなる。
【００５７】
しかしながら、ＨＤＭＩ（第一の規格）のように規格上ＶＢＰを備えない映像信号では、ＣＣが無いためこのＮＧワードに基づく音声出力制限が行えなくなり、ユーザの利便性が損なわれる。従って、本発明のように、本発明のようにＨＤＭＩ（第一の規格）の映像信号で映像表示を行いつつ、コンポジット（第二の規格）に含まれるＶＢＰのＣＣを利用して音声信号の出力制限を行うことを提案するものである。
【００５８】
本第二の変形例の構成を、図３を参照して説明する。本第二の変形例のうち、上記実施例と共通の構成には同一の符号を付してある。以下に上記実施例と相違する点を中心に説明する。
【００５９】
図３には、図１の構成に加えて、スイッチ回路２０ａと、音声処理部２０ｂと、スピーカ２０ｃとを備えるように記載してある。
【００６０】
同図において、デジタルデコーダ１０ｃまたはアナログデコーダ１０ｄは、それぞれスケーラ１０ｅに接続されるとともにスイッチ回路２０ａにも接続されている。デジタルデコーダ１０ｃとアナログデコーダ１０ｄとは、マイコンの制御により、いずれか一方が選択され、同選択されたデコーダのみが映像信号をスケーラ１０ｅに出力するとともに音声信号をスイッチ回路２０ａに出力する。
【００６１】
スイッチ回路２０ａは、デジタルデコーダ１０ｃもしくはアナログデコーダ１０ｄからの音声信号を入力されて、マイコンのオン／オフ信号に基づいて同音声信号を後段の音声処理部２０ｂに出力するか否かを決定する。すなわち、マイコンのオン信号が入力されると音声処理部２０ｂに音声信号を出力し、オフ信号が入力されると音声処理部２０ｂに音声信号を出力しない。
【００６２】
マイコン１０ｉは、半導体メモリ１０ｋに記録されている辞書（ＮＧワード）と、アナログデコーダ１０ｄより出力されるＣＣに含まれる単語とを比較し、ＣＣにＮＧワードが含まれていないときは同ＮＧワードに対応する音声信号がスイッチ回路２０ａに入力されるタイミングに合わせてスイッチ回路２０ａをオンとし、ＣＣにＮＧワードが含まれているときは同ＮＧワードに対応する音声信号がスイッチ回路２０ａに入力されるタイミングに合わせてスイッチ回路２０ａをオフにする。すなわちＣＣに基づいてＮＧワードをミュートする。
【００６３】
以上よりアナログデコーダ１０ｄのＣＣスライサとしての機能（ＶＢＰ情報抽出機能）と、スイッチ回路２０ａと、ＮＧワードの辞書が記録された半導体メモリ１０ｋと、タイマ回路１０ｊと、これらを制御してＮＧワードをミュートするマイコンとが、ＣＣ（文字情報）に基づいて音声信号をミュートする（出力を制限する）テレビガーディアン（音声出力制御手段）を構成する。
【００６４】
また、このテレビガーディアンとしての機能は、テレビ受像機（映像表示装置）の側に備えられる必要は必ずしもなく、ＤＶＤ再生装置（データ再生装置）の側に設けられて、ＨＤＭＩ（第一の規格）やコンポジット（第二の規格）として出力される前にあらかじめ音声出力を制限されていても構わない。すなわち、ＨＤＭＩ端子１０ａ（第一の入力端子）とコンポジット端子（第二の入力端子）に対して映像信号を供給するＤＶＤ再生装置（データ再生装置）が、ＣＣ（文字情報）に基づいて音声信号の出力を制限するテレビガーディアン（音声出力制限手段）を備えてもよい。
【００６５】
以下、上記構成からなる本第二の変形例の動作を説明する。
テレビ受像機の電源が投入されると、アナログデコーダ１０ｄが映像信号からＣＣを抽出してマイコンに出力する。ＣＣを受け取ったマイコンは、半導体メモリ１０ｋに記録されているＮＧワードの辞書とＣＣに含まれている単語とを比較し、一致しているか否かを判断する。
もしＣＣに含まれる単語がＮＧワードのいずれかと一致すると、同ＣＣと対応する音声信号がスイッチ回路２０ａを通過するタイミングに同期してスイッチ回路２０ａをオフにする制御信号を出力するとともに、同ＣＣの不適切な単語を適切な単語に置換（もしくは削除）して同ＣＣに基づくＯＳＤ表示をＯＳＤ重畳部１０ｆに行わせる。従ってユーザが視聴する画面には、不適切な単語を含むＣＣは表示されず、また不適切な音声を聞くことも無い。
【００６６】
一方、ＣＣに含まれる単語がＮＧワードと一致しないときは、同ＣＣと対応する音声信号がスイッチ回路２０ａを通過するタイミングに同期してスイッチ回路２０ａをオンにする制御信号を出力するとともに、同ＣＣに基づくＯＳＤ表示をＯＳＤ重畳部１０ｆに行わせる。従って、やはりユーザが視聴する画面には、不適切な単語を含むＣＣが表示されることはなく、また、不適切な音声がスピーカ２０ｃから出力されてユーザが不快な思いをすることも無い。
【００６７】
（５）まとめ： 
つまり、ＨＤＭＩ端子１０ａとコンポジット端子１０ｂとを備え、デジタルデコーダ１０ｃがＨＤＭＩ端子１０ａから入力される映像信号をスケーラ１０ｅを介して後段に出力し、マイコン１０ｉの制御に従ってアナログデコーダ１０ｄがコンポジット信号からクローズドキャプションを抽出してマイコン１０ｉに出力し、マイコン１０ｉの制御に従ってＯＳＤ重畳部１０ｆがクローズドキャプションを映像信号にＯＳＤ表示させる。
【００６８】
以上説明したように、本実施例に対応する第一の構成例は、ＨＤＭＩ規格の映像信号が入力されるＨＤＭＩ端子と、コンポジット映像信号が入力されるコンポジット端子と、を備えて、入力された映像信号に基づいて映像を画面に表示するテレビ受像機において、
ＨＤＭＩ端子より入力された映像信号を後段に出力するデジタルデコーダと、コンポジット端子より入力された映像信号からＲ（赤）Ｇ（緑）Ｂ（青）の３原色信号を復調し、かつ、デジタル信号に変換して後段に出力するとともに垂直帰線区間のクローズドキャプションを抽出して出力可能なアナログデコーダと、上記デジタルデコーダと上記アナログデコーダのいずれか一方より映像信号を入力されて、同映像信号が画面の画素数に合致するようにスケーリング処理を施して出力するスケーラと、上記スケーラより出力される映像信号に所定の文字情報をオン・スクリーン・ディスプレイ表示にて重畳させるＯＳＤ重畳部と、上記ＯＳＤ重畳部より出力される映像信号に基づいてディスプレイを駆動制御するドライバと、上記アナログデコーダより出力されるクローズドキャプションを受け取り、同クローズドキャプションに対応する映像信号の処理とタイミングを合わせて上記ＯＳＤ重畳部にクローズドキャプションをオン・スクリーンディスプレイ表示にて表示させるマイコンと、上記ＨＤＭＩ端子と上記コンポジット端子のいずれの映像信号を表示させるかの入力設定情報と、上記クローズドキャプションを表示させるか否かのＣＣ表示設定情報とを保持する半導体メモリと、を備えつつ、
上記ＨＤＭＩ端子と上記コンポジット端子とが同一のＤＶＤ再生装置に接続されると、同ＤＶＤ再生装置からは両端子それぞれに対して互いに同期した映像信号が入力され、
上記マイコンは、上記半導体メモリから入力設定情報を取得し、当該入力設定情報に基づき上記デジタルデコーダと上記アナログデコーダのいずれか一方から映像信号を出力させ、上記半導体メモリからＣＣ表示設定情報を取得し、当該ＣＣ表示設定情報がＣＣを出力させる設定のときは上記アナログデコーダを制御してクローズドキャプションを抽出出力させ、同クローズドキャプションに基づいて上記ＯＳＤ重畳部にオン・スクリーン・ディスプレイ表示を行わせる構成としてある。
【００６９】
また、本実施例に対応する第二の構成例として、本発明の映像表示装置では、垂直帰線区間を備えない第一の規格の映像信号が入力される第一の入力端子と、垂直帰線区間を備える第二の規格の映像信号が入力される第二の入力端子と、を備え、映像信号に基づいて映像を画面に表示させる映像表示装置において、上記第一の入力端子から入力される映像信号を受け付けて後段に出力する映像信号受付手段と、上記第二の入力端子から入力される映像信号を受け付けて垂直帰線区間から文字情報を抽出する文字情報抽出手段と、上記映像信号受付手段より出力される映像信号に上記文字情報を重畳する文字情報重畳手段とを備える構成としてある。
すなわち、上記映像信号受付手段が上記第一の入力端子から入力される映像信号を受け付けて後段に出力し、上記文字情報抽出手段が上記第二の入力端子から入力される映像信号を受け付けて垂直帰線区間から文字情報を抽出し、上記文字情報重畳手段が上記映像信号受付手段より出力される映像信号に上記文字情報を重畳する。これにより、第一の規格の映像信号に基づく映像を視聴しつつ、第二の規格にしか存在しない文字情報に基づく表示をも視聴する（利用する）ことができ、いずれか一方（例えば第一の入力端子から入力される映像信号）のみに基づいて映像表示を行う場合に比してユーザの利便性が向上する。
ここで上記第一の規格としては、垂直帰線消去期間、すなわち垂直帰線区間を備えないものであり、かつ、垂直帰線区間に搭載可能なデータ（例えばクローズドキャプション、Ｖ−チップのレイティング情報、インターテキスト、アダマス（ADAMS:TV-Asahi Data and Multimedia Service）、ビットキャスト、ＨＴＭＬ形式のコンテンツ）を他の形式で保持する仕様（例えばデジタルデータであればヘッダやフッタなどにエンコードして保持する仕様）を備えないものである。具体的にはＨＤＭＩ（High-Definition Multimedia Interface）やＤＶＩ（Digital Visual Interface）、そしてこれらの上記規格であるＴＭＤＳ（Transition-Minimized Differential Signaling）が考えられるが、むろんこれらに限られるものではない。
一方、上記第二の規格としては、垂直帰線消去期間（ＶＢＩ）、すなわち垂直帰線区間（ＶＢＰ）を備えるものであり、ある画面を描き終わってから、その次の画面を描きはじめるまでの間に映像信号の送信に使用されない区間がある規格である。具体的には、アナログテレビ放送や、コンポジット端子やＳ端子やコンポーネント端子などのアナログ映像信号伝送用の規格である。
また、上記文字情報としては、所定の文字コード仕様に基づいて復元（解釈）可能であればよく、復元（解釈）された情報を人が読解可能である必要はない。例えば、所定の文字コード仕様に基づいて復元された情報が、０（オフ）と１（オン）の羅列であっても、この羅列が意味する内容を上記文字情報重畳手段が所定の文字コード仕様に基づいて解釈可能であれば構わない。
【００７０】
そして、上記文字情報重畳手段はオン・スクリーン・ディスプレイ（ＯＳＤ）表示にて文字情報を重畳する構成としてもよい。上記文字情報を映像信号に重畳する際、表示される文字の色（例えば黒）に対して周囲の所定領域の色を特定の色（例えば白）として表示する手法がある（例えば従来のクローズドキャプションの表示法）が、この手法だと文字部分のみならず周囲の所定領域までも本来の映像信号が視聴不可能になる。そこでＯＳＤ表示を採用することにより、文字の背景を透過色として本来の映像の欠除を最小限に止め、ユーザの映像視聴の妨げを最小限とした。よって、文字情報を表示可能としてユーザの利便性を低下させることなく、同時に映像の欠除も最小限に止めてユーザの利便性の向上が図れる。
【００７１】
さらに、上記第一の入力端子からの映像信号に基づく映像視聴時に、上記文字情報を重畳するか否かを選択する文字情報重畳選択手段を備える構成としてもよい。この構成では、例えば所定の操作入力手段からユーザの操作入力を受け付け、文字情報重畳選択手段が上記文字情報抽出手段もしくは上記文字情報情報手段のいずれかまたは双方を制御して、文字情報を抽出させる（もしくは画面に文字情報を表示させる）か否かを選択制御する。すなわち、文字情報の表示が不要と考えるユーザも存在することが想定され、このようなユーザのためには文字情報の表示／非表示を選択可能にすることがユーザの利便性の向上につながるための構成である。
【００７２】
さらに、本実施例に対応する第三の構成例として、垂直帰線区間を備えない第一の規格の映像信号が入力される第一の入力端子と、垂直帰線区間を備える第二の規格の映像信号が入力される第二の入力端子と、を備え、映像信号に基づいて映像を画面に表示させる映像表示装置において、上記第一の入力端子から入力される映像信号を受け付けて後段に出力する映像信号受付手段と、上記第二の入力端子から入力される映像信号を受け付けて垂直帰線区間から文字情報を抽出する文字情報抽出手段と、上記文字情報に基づく視聴制限を行う視聴制限手段を備える構成としてもよい。
すなわち、上記映像信号受付手段が上記第一の入力端子から入力される映像信号を受け付けて後段に出力し、上記文字情報抽出手段が上記第二の入力端子から入力される映像信号を受け付けて垂直帰線区間から文字情報を抽出し、上記視聴制限手段が上記文字情報に基づいて視聴制限を行う。これにより、第一の規格の映像信号に基づく映像を視聴しつつ、第二の規格にしか存在しない文字情報に基づく視聴制限を行うことができ、第一の入力端子からの映像信号のみに基づいて映像表示を行う場合に比してユーザの利便性が向上する。この視聴制限としては、特定の文字情報（例えば映像に暴力的な映像が含まれている旨示す情報）を有する映像信号部分（例えば１フレーム分）を画面に表示させないなどの処理のことである。また、第一の規格および第二の規格については上述した第二の構成例のものと同様であるが、文字情報は上述した文字情報とは異なり、復元する必要はなく、上記視聴制限手段が解釈可能であればいかなる情報であっても構わない。
【００７３】
さらに、上記第三の構成例におけるより具体的な構成例として、上記視聴制限手段をＶ−チップとし、上記文字情報をＶ−チップのレイティング情報としてもよい。すなわちＶ−チップのように広く普及している（たとえばアメリカ合衆国などの北米で普及している）仕様を採用することにより、より多くのユーザが利用可能となり、ユーザの利便性がさらに向上する。
【００７４】
さらに、本実施例に対応する第四の構成例として、垂直帰線区間を備えない第一の規格の映像音声信号が入力される第一の入力端子と、垂直帰線区間を備える第二の規格の映像音声信号が入力される第二の入力端子と、を備え、映像信号に基づいて映像を画面に表示させつつ音声信号に基づいて音声出力を行う映像表示装置において、上記第一の入力端子から入力される映像音声信号を受け付けて後段に出力する映像音声信号受付手段と、上記第二の入力端子から入力される映像音声信号を受け付けて垂直帰線区間から文字情報を抽出する文字情報抽出手段と、上記文字情報に基づいて音声出力を制限する音声出力制限手段を備える構成としてもよい。
すなわち、上記映像音声信号受付手段が上記第一の入力端子から入力される映像音声信号を受け付けて後段に出力し、上記文字情報抽出手段が上記第二の入力端子から入力される映像音声信号を受け付けて垂直帰線区間から文字情報を抽出し、上記音声出力制限手段が上記文字情報に基づいて音声出力を制限する。これにより、第一の規格の映像音声信号に基づく映像を視聴しつつ、第二の規格にしか存在しない文字情報に基づく音声出力を制限することが可能となり、第一の入力端子からの映像音声信号のみに基づいて映像表示や音声出力を行う場合に比してユーザの利便性が向上する。ここで音声信号の出力制限とは、文字情報に予め設定されている不適切な単語（ＮＧワード）が含まれた場合に、同文字情報に対応する音声出力を消音（もしくは音声信号をカット）することを意味する。また、第一の規格および第二の規格、そして文字情報については上述した第二の構成例のものと同様である。
【００７５】
さらに、上記第四の構成例におけるより具体的な構成例として、上記音声出力制限手段をテレビガーディアンとしても構わない。すなわちテレビガーディアンのように広く普及している（たとえばアメリカ合衆国などの北米で普及している）仕様を採用することにより、より多くのユーザが利用可能となり、ユーザの利便性がさらに向上する。
【００７６】
さらに、上記第二、四の構成例におけるより具体的な構成例として、上記文字情報をクローズドキャプションデータとしても構わない。すなわちクローズドキャプションのように広く普及している（たとえばアメリカ合衆国などの北米で普及している）仕様を採用することにより、より多くのユーザが利用可能となり、ユーザの利便性がさらに向上する。
【００７７】
さらに、上記第一の入力端子から入力される映像信号と、上記第二の入力端子から入力される映像信号とが同期している構成としてもよい。すなわち、上記第一の入力端子と上記第二の入力端子とからそれぞれ入力される映像信号（または映像音声信号）が同期していると、上記第二の入力端子から入力される映像信号（または映像音声信号）に含まれる文字情報に基づいて、上記第一の入力端子から入力される映像信号（または映像音声信号）に文字情報を重畳（もしくは文字情報に基づく視聴制限、もしくは音声出力制限）する際に、文字情報を重畳（もしくは文字情報に基づく視聴制限、もしくは音声出力制限）する処理を行うタイミングがとりやすくなり装置の設計が容易となる。
【００７８】
さらに、上記第一の規格のより具体的な構成例として、上記第一の規格をＨＤＭＩの規格としてもよい。すなわちＨＤＭＩのように広く普及する（業界標準の１つとなる）とともに搭載することがトレンドとなっている仕様を採用することにより、より多くのユーザが利用可能となり、ユーザの利便性がさらに向上する。
【００７９】
さらに、上記第二の規格のより具体的な構成例として、上記第二の規格をコンポジット映像信号の規格としてもよい。すなわち、コンポジット端子の規格のように広く普及する（ほぼ全ての映像表示装置にすでに搭載されいている）仕様を採用することにより、より多くのユーザが利用可能となり、ユーザの利便性がさらに向上する。
【００８０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００８１】
【図１】テレビ受像機の構成（概略構成）を示すブロック図である。
【図２】クローズドキャプションの表示制御を行うマイコンの処理を示したフローチャートである。
【図３】テレビ受像機の第二の変形例の構成（概略構成）を示すブロック図である。
【符号の説明】
【００８２】
１０…テレビ受像機  １０ａ…ＨＤＭＩ端子  １０ｂ…コンポジット端子  １０ｃ…デジタルデコーダ  １０ｄ…アナログデコーダ  １０ｅ…スケーラ  １０ｆ…ＯＳＤ重畳部  １０ｇ…ドライバ  １０ｈ…ディスプレイ  １０ｉ…マイコン  １０ｊ…タイマ回路  １０ｋ…半導体メモリ  １５…ＤＶＤ再生装置（データ再生装置）  １５ａ…ＨＤＭＩ端子  １５ｂ…コンポジット端子  ２０ａ…スイッチ回路  ２０ｂ…音声処理部  ２０ｃ…スピーカ  ２５…テレビガーディアン
【図１】
2008005405.tif 000003
【図２】
2008005405.tif 000004
【図３】
2008005405.tif 000005